(57)【特許請求の範囲】
【請求項１】
平面視して多角形、平面視して長円形、または平面視して多角形と長円形とを組み合わせた形状で、前方に向かって幅が狭くなり、前後方向、左右方向への揺動が可能である座部材と、
この座部材を所定高さ位置に支持する脚部材とを備えた腰痛治療用椅子において、
この脚部材に設けられ、この座部材より低い位置で、水平に、この座部材の左右両側にそれぞれ張り出し、この座部材に使用者が臀部を乗せて足を折り曲げてひざを床につけた状態で、足首を掛止することができる棒状の足首掛止部材を有し、
この足首掛止部材は、高さ調節が可能になるように設けられている腰痛治療用椅子。
【発明の詳細な説明】
【技術分野】
【０００１】
この発明は、着座時に床にひざをつき、かつ、両足首を床から少し持ち上げた状態の姿勢を保持し、牽引効果を有し、治療を行うことができる腰痛治療用椅子に関する。
【背景技術】
【０００２】
腰痛に悩む人々が世の中には多く存在する。この腰痛は人間が重力に逆らって２本足で立ち、体重の約１／１０を占める重い頭を上方において、背骨と筋肉で支えて動き回るために発生するといわれている。背骨は身体の側面に対してＳ字状に湾曲している。この背骨の中心に脊髄神経が通っている。この背骨がスプリングの働きをして重力の負担を軽くしている。加えて椎間板と称する軟骨がクッションの役目を果たして身体を支えている。そして、この状態で脳よりの指令が背骨の中の脊髄神経を通って、身体の隅々まで指令を伝え、正常な動作が行われている。この背骨が長時間同一姿勢で作業を行ったりすると、徐々に身体内に疲労が溜まり、筋肉の疲労が蓄積されると血行が悪くなって筋肉等の弾力性が乏しくなる。また、腰椎に異常が出てくると、腰椎が前湾または後湾に反る現象が現れる。このため腰椎の関節にゆがみが生じ、椎骨を支えている椎間板に負担がかかることになる。その結果、身体の姿勢がゆがみ、内臓を圧迫して身体の正常な動きができなくなる。これが腰痛である。
【０００３】
そこで、姿勢のゆがみを矯正し、椎骨を支えている椎間板に負担がかからないようにする器具が提案されている。たとえば、特許文献１には、床上に載置された支台上に支柱を立設し、高さが調整できる調節部を介して座席とパッドを設けた腰痛治療器具を用いる器具を提案している。この腰痛治療器具は胸部の脇の下と、肋骨の下と腰骨の間を締め付ける柔軟なマット状のパッドを前合わせで患者の胴部に巻き付けた後に患者を締め付けで固定する。
そして、腰痛治療器具の座席のロックを解除して患者を吊り下げ、腰椎骨を延ばして腰痛治療が行えるものである。
【特許文献１】特開２０００−２２５１３７号公報
【発明の開示】
【発明が解決しようとする課題】
【０００４】
しかしながら、特許文献１に示される腰痛治療器具は自らの体重を利用して湾曲した腰椎骨を矯正する。そのため、身体の締め付けた箇所に過度の負担がかかることになる。また、身体に負担がかかる割には治療効果を十分に満たすことができない。さらに、この腰痛治療器具は構造が複雑である。この腰痛治療器具は支柱を立設できるだけの高さ、患者を吊り下げるために必要な強度が必要となり、家庭で使用するのは困難である。
【０００５】
本発明は、上述の従来の課題に対して、特に、矯正に際し、身体の負担をかけずに姿勢のゆがみを矯正する腰痛治療用椅子を提供することにある。また、構造が簡単で、家庭でも矯正ができる腰痛治療用椅子を提供することにある。
【課題を解決するための手段】
【０００６】
請求項１に記載の発明は、平面視して多角形、平面視して長円形、または平面視して多角形と長円形とを組み合わせた形状で、前方に向かって幅が狭くなり、前後方向、左右方向への揺動が可能である座部材と、この座部材を所定高さ位置に支持する脚部材とを備えた腰痛治療用椅子において、この脚部材に設けられ、この座部材より低い位置で、水平に、この座部材の左右両側にそれぞれ張り出し、この座部材に使用者が臀部を乗せて足を折り曲げてひざを床につけた状態で、足首を掛止することができる棒状の足首掛止部材を有し、この足首掛止部材は、高さ調節が可能になるように設けられている腰痛治療用椅子である。
この座部材は、使用者が臀部を乗せることができる程度の、すなわち着座可能な広さの座面を有している必要がある。この座面は平面で形成しても、凹面、凸面でもよい。その形状は、平面視した場合、長円形でも、多角形でも、これらを組み合わせた形状でもよく、要は、着座可能な広さを有して着座したときの座部材の前側の幅がその中央部のそれよりも小さい必要がある。例えば自転車のサドル形状であってもよい。
脚部材は、着座時に使用者がひざを床面につけることができるだけの座部材の高さを保持させるものである。この脚部材は、１本又は複数の脚、および座部材を支持する平板などから構成されている。
足首掛止部材は、所定長さを有する１本の棒材で例えば構成することができる。要は、この足首掛止部材は、その両端部が、座部材よりその幅方向に所定長さだけそれぞれ張り出していることが必要である。着座時のひざつき姿勢で両足首をひざ頭よりは少し高い位置で掛止する必要がある。
使用者が座部材に着座して両足を折り曲げて、両ひざを床につけた状態で、両足首を足首掛止部材に掛止させると、臀部と両ひざ頭とに支えられて自然に背骨が直立した姿勢を保つことができる。また、着座しただけでこのような姿勢を整えることができるため、拘束具による拘束などにたよることなく、身体に無理な負担をかけずに、その姿勢のゆがみを矯正することができる。
また、座部材は、平面視した場合、その前方に向かって幅が狭くなっているので、着座して、足を折り曲げる際に、大腿部が椅子の角（前側の隅部）にあたらず、容易に足を折り曲げて足首を掛止することができる。
座部材は、所定の軸を中心に所定角度の揺動を許容する構造としている。
【０００７】
座部材は、脚部材に対して平面内の全方向に対して揺動可能な構造となっている。この結果、座部材に使用者が着座する時、座部材を横（着座時に正面視して左右）に傾けることができるため、容易に足首掛止部材に足首を掛止することができる。また、平面視して前方にも傾けることができるため、座部材に座った状態で容易にひざ頭を床面に着けることができる。
【０００８】
この発明において、上記座部材は、使用する患者の身体的特徴に応じて高さを調整することができる。例えば、脚部材にスリットを設け、このスリットにボルトが挿通され、座部材に支持する構成、または、脚部材の下端にプラグをねじ込ませるとともにこのプラグのねじ込み量で脚の長さが調節できる構成とすることで、座部材の高さを調整することができる。
また、上記足首掛止部材も、使用する患者の身体的特徴に応じて高さを調整することも可能である。例えば、左右の脚に橋渡しする水平な連結材を設け、この連結材にボルトを連結材に対して垂直方向に取り付け、このボルトによって水平な足首掛止部材を吊り下げ、足首掛止部材をナットで支持したときに、このナットの締め込み量で足首掛止部材の高さを調整することができる。
さらに、この足首掛止部材は、座部材の裏側に収納可能な構造とすることができる。例えば、足首掛止部材を２分割しこれらをストッパ付きの丁番を用いて折り曲げることができる構造、または足首掛止部材の一部が着脱可能な構造、または、足首掛止部材を複数に分割し、分割部同士を嵌合させることにより伸縮自在な構造（テレスコーピック構造）にすることで足首掛止部材を座部材の裏側に収納することができる。
【発明の効果】
【０００９】
請求項１に記載の発明によれば、使用者が着座して所定の姿勢をとるだけで、使用者の身体に無理な負担をかけずに、またその身体を無用に拘束せずに、その腰椎骨などを容易に矯正することができる。
そして、足が不自由な使用者に対しても、使い勝手がよく、容易に腰椎骨などの矯正の姿勢をとることができる。
また、本発明は、その構造も簡単であり、かつ使用方法が容易であるため、家庭でも腰椎骨を矯正することができる。また、本発明に係る腰痛治療用椅子は、座骨神経痛の患者に対して、牽引効果と同様の効果を有する治療を行うことができる。また、本発明に係る腰痛治療用椅子は、腰痛予防用の椅子として利用することができる。なお、腰痛に限らず骨盤矯正などにおいて有効な場合がある。
さらに、使用する患者の身体的特徴に応じて高さを調節することが可能となる。
【発明を実施するための最良の形態】
【００１０】
以下、図面に基づいて本発明に係る腰痛治療用椅子の一実施例を説明する。図１は本発明の一実施例である腰痛治療用椅子の全体構成を示す斜視図である。図２は本発明の一実施例に係る腰痛治療用椅子に、腰痛患者が着席して治療している状態を示す側面図である。図３は図１の平面図である。図４は図１の正面図である。
【実施例】
【００１１】
図１において、本発明が適用された腰痛治療用椅子１は、使用者が着座したとき臀部が位置する座２（座部材）と、この座２を支持する平板３（脚部材）と、この平板３を支持する４本の脚４（脚部材）と、着座した使用者の背部が位置する背もたれ部６と、脚４に連結されている２本のはり７（脚部材）と、このはり７より吊り下げられた足首掛止部材５とから構成されている。
【００１２】
上記座２は平板である。この座２は平面視してホームベース状の六角形である。この座は前方に向かって幅が狭くなる形状をなしている。すなわち、長方形の平板のその前方の角隅部の２箇所は、切除されている。この切り欠き部分により、患者がこの腰痛治療用椅子１の座２に着座したとき、大腿部が平板の角に当たることがない。よって足が折り曲げやすい。この座２は自転車のサドル形状でもよい。
この座２の底面の略中央位置には下に向かって開口した半球状の凹部１３が設けられている。
【００１３】
上記平板３は座２と略同一の形状をしており、座２より面積の大きい平板である。そして、この平板３の上面の略中央位置には半球状の凹部１４が設けられている。また、この平板３の左右側面にはそれぞれ断面がコの字型の溝１２が設けられている。
【００１４】
上記腰痛治療用椅子１は正面視して左右対称に構成されている。以下、左側について説明する。右側は左側と同一構造である。
【００１５】
上記脚４は前脚となる長脚４Ａと後脚となる短脚４Ｂとで構成されている。長脚４Ａと短脚４Ｂとは、いずれも断面が四角形の棒材で形成されている。この長脚４Ａの長さ方向略１／２の位置に短脚４Ｂが長脚４Ａを斜めに支持するように固定されている。すなわち、前脚（長脚）４Ａと後脚（短脚）４Ｂは、側面視していずれも傾斜しており、三角形状を呈している。そして、この長脚４Ａの上端には板材からなる背もたれ部６が固定されている。なお、この長脚４Ａの下端と短脚４Ｂの下端とには、腰痛治療用椅子１が水平な床に載置できるように棒材を斜めに切除され平面に形成されている。
これらの長短両脚４Ａ、４Ｂの側面には腰痛治療用椅子１の左右方向に貫通し、両脚４Ａ、４Ｂの長さ方向に延びたスリット１０がそれぞれ設けられている。
【００１６】
上記座２の凹部１３と上記平板３の凹部１４とは互いに上下に対向して配置される。これらの凹部１３，１４およびこれらの間には単一の金属製のボール８が回転自在に収容されている。これがボールジョイント構造である。このボール８の直径は、この座２の凹部１３とこの平板３の凹部１４との深さの和より大きくなっている。このため、この座２とこの平板３の間に所定の隙間が生ずる。したがって、座２はボール８により揺動自在に支持されているが、ある一定の角度に傾いたときに、平板３と接触する。このため、必要以上にその揺動角度が大きくならないようになっている。
【００１７】
上記２本の脚４Ａ、４Ｂの側面に設けられた２つのスリット１０には２本のボルト１１が外側から内方に向かってそれぞれ挿通されている。そして、挿通された２本のボルト１１の先端部は内側に向かって突出しており、突出したボルト１１の先端部は平板３の溝の底部に突き当てられている。すなわち、平板３の片側面は前後に、２本の水平に延びるボルト１１により支持されている。また腰痛治療用椅子１が水平な床の上に載置された場合に、座２が床に対して水平になるように、床から同じ高さ位置にボルト１１がスリット１０に挿通される。これらのボルト１１のスリット１０に挿通されている位置によって、座２の高さを調節できるようになっている。
【００１８】
上記長脚４Ａと、この長脚４Ａに固定された短脚４Ｂの間にはり７が、床に対して平行になるように固定されている。このはり７は断面が四角形の棒材で形成されている。このはり７の一端は前脚４Ａに、他端は後脚４Ｂに、それぞれ例えばビスで固定されている。このはり７の長さ方向の略中央位置には、はり７の高さより短い、吊り下げボルト９が、はり７に対して垂直に下方に向かって突出するように挿着されている。ボルト９の頭部は、はり７の上面に突出している。
【００１９】
上記足首掛止部材５は、座２より低い位置に設けられている。この足首掛止部材５は１本の円柱部と２本の円筒部とにより全体として１本の棒材に構成されている。この１本の円柱部の両端にそれぞれ２本の円筒部が連結されている。この足首掛止部材の両端は、座２の幅より同じ長さだけその座２より外側にそれぞれ張り出している。張り出している長さは、使用者が腰痛治療用椅子１に着座して、両ひざを床面につけて足を折り曲げた状態でその両足首を掛止できるだけの長さになっている。
詳しくは、この円柱部は、座２の下方でこの座２の幅とほぼ同じ長さを有して固定されている。この円柱部の両端には、それぞれ所定長さのおねじが形成されている。そして、２本の円筒部の内側にも所定長さだけめねじが形成されている。そして、この円柱部の両端に円筒部がねじ込まれて連結され、１本の棒材である足首掛止部材５となる。
このように形成された足首掛止部材５の両方の円筒部のめねじが形成された部分に隣接して、円筒部を上下に貫通する孔がそれぞれ設けられている。
【００２０】
上記足首掛止部材５の円筒部に設けられた上下に貫通する孔に、上記突出した吊り下げボルト９が遊挿されている。そして、足首掛止部材５の下端に当接するようにナットが吊り下げボルト９にねじ込まれている。この足首掛止部材５は、腰痛治療用椅子１が水平な床に載置した場合、床に対して水平になるように両ナットのねじ込み量が調節されている。
この足首掛止部材５の高さは、ナットのねじ込み量によって調節することができる。
【００２１】
上記腰痛治療用椅子１において、床にこの腰痛治療用椅子１を載置した場合、上記座２の位置は、床から２０ｃｍ乃至４０ｃｍの高さになるように脚の長さが設定されている。上記足首掛止部材５の位置は、床から０ｃｍ乃至３０ｃｍの高さになるように設計されている。この足首掛止部材５の突出長さは１０ｃｍ乃至１５ｃｍになるように設計されている。そして、腰痛治療用椅子１の後方の幅は３０ｃｍ乃至５０ｃｍになるように設計されている。腰痛治療用椅子１の前方の幅は５ｃｍ乃至２０ｃｍになるように設計されている。
【００２２】
上記座２は木材やスチール等でできている。この座２の表面には、ウレタン材などを使用してクッションを設けるようにしてもよい。また、この座２の上面は横方向に延びる凹凸溝の滑り止めを設けてもよい。
上記脚４について、長脚と短脚が折り畳み構造にすることもできる。この場合、例えば長脚と短脚とがストッパ付きの丁番で連結され、はり７が取り外し可能なボルトで支持される構造にすればよい。
また、足首掛止部材５の表面にはウレタン材などを使用してクッションを設けるようにしてもよい。また、足首掛止部材５の円筒部と円柱部がねじで螺合せずにストッパ付きの丁番で連結してもよい。ストッパ付きの丁番で連結していれば、座の裏側に足首掛止部材を折り畳むことができる。
【００２３】
次にこのような構成を有する腰痛治療用椅子１を使用して、腰痛を治療する場合に手順について、図２に基づいて説明する。
【００２４】
図２において、本発明が適用された上記腰痛治療用椅子１を上記座２の高さと、足首掛止部材５の高さとを、使用者の体形を基に最適の寸法となるようにそれぞれボルトで調節する。そして腰痛治療用椅子１を平坦な床に載置する。
使用者は座２に着座する。ついで、姿勢を前屈みとして座２を前方に傾斜させ、足首を折り曲げてそのひざ頭を床につける。
そして、座２を横に（左または右に交互に）傾け、足首掛止部材５に両足首を掛止させる。このように、座２がボールジョイント構造によって揺動することにより、身体に負担をかけることなく両足でつっぱって背を垂直とした矯正の姿勢をとることができる。この姿勢を所定時間保持することにより、背骨が直立状態になり、そのため腰椎等の関節の歪みがなくなり、椎骨を支えている椎間板の負担を軽減することになる。その結果、内臓を圧迫せず正常な動きができ、腰痛の治療につながることとなる。
【図面の簡単な説明】
【００２５】
【図１】本発明の実施例である腰痛治療椅子の構成を示す斜視図である。
【図２】本発明の実施例に係る腰痛治療用椅子に腰痛患者が着席して治療している状態を示す側面図である。
【図３】図１の平面図である。
【図４】図１の正面図である。
【符号の説明】
【００２６】
１：腰痛治療用椅子
２：座
３：平板
４：脚
４Ａ：長脚
４Ｂ：短脚
５：足首掛止部材
６：背もたれ部材
７：はり
８：ボール
９：吊り下げボルト
１０：スライド
１１：ボルト
１２：溝
１３：座の凹部
１４：平板の凹部
【要約】
【課題】腰痛治療器具を用いて腰椎骨の矯正を行う際に、身体の負担をかけずに姿勢のゆがみを矯正する腰痛治療用器具を提供する。
【解決手段】平面視して多角形、長円形または多角形と長円形とを組み合わせた形状で、前方に向かって幅が狭くなる座部材と、この座部材を所定高さ位置に支持する脚部材とを備えた腰痛治療用椅子において、この座部材より低い位置に、この座部材の左右両側にそれぞれ張り出して設けられ、この座部材に使用者が臀部を乗せて足を折り曲げてひざを床につけた状態で、足首を掛止することができる足首掛止部材を有する腰痛治療用椅子とした。上記座部材と上記脚部材とは、平面視して座部材の中心部に配設したボールジョイントにより連結されており、座部材は前後方向、左右方向への揺動を可能とした。
【選択図】  図１【図１】
0004134259.tif 000002
【図２】
0004134259.tif 000003
【図３】
0004134259.tif 000004
【図４】
0004134259.tif 000005